(57)【特許請求の範囲】
【請求項１】
ＲＦＩＤラベルが剥離紙に一定の間隔で仮着された印字用紙を搬送し、ＲＦＩＤラベルの表面に印字を行う印字部と、ＲＦＩＤラベルに対して情報の読み取り及び書き込みの通信を行うＲＦＩＤリーダーライター部と、を有するＲＦＩＤプリンタにおいて、
ＲＦＩＤラベルとの通信を不能にする金属板を前記ＲＦＩＤラベルの搬送方向前後にスライドする金属板スライド部を有し、
前記金属板スライド部によって前記金属板を前記ＲＦＩＤリーダーライター部の通信領域内の複数のＲＦＩＤラベルのうち単枚のＲＦＩＤラベルのピッチ分以外を通信不能とする位置に調整可能であることを特徴とするＲＦＩＤプリンタ。
【請求項２】
前記金属板スライド部は、ＲＦＩＤラベルの通信を不能にする金属板と、この金属板を支持する金属板受け部と、金属板をスライド可能に金属板受け部に接続する調節螺子と、を有することを特徴とする請求項１記載のＲＦＩＤプリンタ。
【請求項３】
前記金属板スライド部は、ＲＦＩＤラベルの表面側に配置したことを特徴とする請求項１または２に記載のＲＦＩＤプリンタ。
【請求項４】
前記金属板スライド部は、剥離紙側に配置したことを特徴とする請求項１ないし３のいずれかに記載のＲＦＩＤプリンタ。
【請求項５】
前記金属板スライド部には、目盛が形成されていることを特徴とする請求項１ないし４のいずれかに記載のＲＦＩＤプリンタ。
【発明の詳細な説明】
【技術分野】
【０００１】
本発明は、ＲＦＩＤプリンタに関し、詳しくは複数のＲＦＩＤラベルが隣接している場合であっても、読み書き対象のＲＦＩＤラベルに対してのみ読み書きを行うことができるＲＦＩＤプリンタに関する。
【背景技術】
【０００２】
従来、図５に示すように、ＩＣチップとアンテナコイルを加工して製造されたＲＦＩＤインレットを備えたＲＦＩＤラベル５５に対して、情報の書き込み及び読み取りの通信を行うアンテナ５６と、アンテナ５６に接続され、アンテナ５６の通信の制御を行う通信部５７とからなるＲＦＩＤリーダーライター部５８と、ＲＦＩＤラベル５５の表面に印字を行うサーマルヘッド等からなる印字部５９と、を備えたＲＦＩＤプリンタ６０がある。
このＲＦＩＤプリンタ６０は、ＲＦＩＤプリンタ６０毎に設定された仕様に基づいて加工されたＲＦＩＤラベル５５に対して、ＲＦＩＤリーダーライター部５８で情報の書き込み及び読み取りを行い、印字部５９でＲＦＩＤラベル５５の表面への印字を行っている。
一方、ＲＦＩＤラベル５５は、金属を接触又は極めて近いところに設置することにより、ＲＦＩＤリーダーライター部５８からの書き込み及び読み取りが不能、つまりＲＦＩＤラベル５５の通信が不能になることが知られている。
ＲＦＩＤインレットの周波数帯が１３．５６ＨｚのＲＦＩＤラベルであってもＵＨＦ帯のＲＦＩＤラベルであっても金属を接触又は極めて近いところに設置すると上記説明と同様に通信が不能となる。
【０００３】
【特許文献１】特開平２００２−２０２６
【発明の開示】
【発明が解決しようとする課題】
【０００４】
図６に示すように、帯状に形成された剥離紙６４に多数のＲＦＩＤラベル５５を搬送方向に一定の間隔をもって仮着して構成される印字用紙６５において、搬送方向の長さが短い（以下、小ピッチとする。）ＲＦＩＤラベル５５の場合、隣接するＲＦＩＤラベル５５の搬送方向への間隔が狭くなり、ＲＦＩＤリーダーライター部５８のアンテナ５６の情報の書き込み及び読み取りを行う範囲である通信領域に複数のＲＦＩＤラベル５５が入ってしまうという問題があった。
上記の理由によって、ＲＦＩＤリーダーライター部５８の通信領域内であって、ＲＦＩＤリーダーライター部５８で通信を行う目的のＲＦＩＤラベル５５に隣接しているＲＦＩＤラベル５５（以下、隣接ＲＦＩＤラベルＬとする。）、つまりＲＦＩＤリーダーライター部５８の通信領域内であって、通信を行う目的のＲＦＩＤラベル５５の搬送方向前後のＲＦＩＤラベル５５にもＲＦＩＤリーダーライター部５８の通信に応答し、情報の書き込み及び読み取りが行われてしまうことがあった。
よって隣接ＲＦＩＤラベルＬに通信を行ってしまうことを防止するために、ＲＦＩＤリーダーライター部５８の通信領域内に複数のＲＦＩＤラベル５５が入らないだけの搬送方向への間隔をもってＲＦＩＤラベル５５を剥離紙６４に仮着することが行われている。
しかしながら、ＲＦＩＤリーダーライター部５８の通信領域に複数のＲＦＩＤラベル５５が入らないように、隣接するＲＦＩＤラベル５５の間隔を搬送方向に長くして剥離紙６４に仮着することは、剥離紙６４の搬送方向に対してＲＦＩＤラベル５５が仮着されていない領域が長くなり剥離紙６４に無駄が生じ、また、１枚のＲＦＩＤラベル５５を搬送する距離が長くなるため、ＲＦＩＤラベル５５にＲＦＩＤリーダーライター部５８で通信を行い、印字部５９でＲＦＩＤラベル５５の表面に印字を行うことに時間がかかるという問題があった。
【０００５】
本発明は、上記のような問題点に着目してなされたものであって、複数の小ピッチのＲＦＩＤラベルが剥離紙に一定間隔で隣接して仮着してある印字用紙であっても、読み書き対象のＲＦＩＤラベルに対してのみ読み書きを行うことができるＲＦＩＤプリンタを提供することを目的とする。
【課題を解決するための手段】
【０００６】
本発明に係るＲＦＩＤプリンタは、ＲＦＩＤラベルとの通信を不能にする金属板を前記ＲＦＩＤラベルの搬送方向前後にスライドする金属板スライド部を有し、前記金属板スライド部によって前記金属板を前記ＲＦＩＤリーダーライター部の通信領域内の複数のＲＦＩＤラベルのうち単枚のＲＦＩＤラベルのピッチ分以外を通信不能とする位置に調整可能であることを特徴とする。
また、金属板スライド部は、ＲＦＩＤラベルの通信を不能にする金属板と、この金属板を支持する金属板受け部と、金属板をスライド可能に金属板受け部に接続する調節螺子と、を有することを特徴とする。
また、前記金属板スライド部は、ＲＦＩＤラベルの表面側に配置したことを特徴とする。
また、前記金属板スライド部は、剥離紙側に配置したことを特徴とする。
また、金属板スライド部には、目盛が形成されていることを特徴とする。
【発明の効果】
【０００７】
本発明に係るＲＦＩＤプリンタは、搬送方向前後にスライドする金属板によってＲＦＩＤラベルの通信不能に調節する金属板スライド部を有し、この金属板スライド部によってＲＦＩＤリーダーライター部の通信領域内にあってＲＦＩＤリーダーライター部が通信する目的のＲＦＩＤラベルに隣接したＲＦＩＤラベルを通信不能に調節することができるため、ＲＦＩＤラベルのサイズが小ピッチであり、搬送方向に一定の間隔をもって剥離紙に粘着剤を介して仮着された複数のＲＦＩＤラベルの間隔が狭い場合であっても、読み書き対象のＲＦＩＤラベルに対してのみ読み書きを行うことができる。
【発明を実施するための最良の形態】
【０００８】
以下、本発明に係るＲＦＩＤプリンタ１の実施の形態について図１乃至図４に基づいて詳細に説明する。図１は本発明のＲＦＩＤプリンタ１の概略側面図である。図２は金属板スライド部６の詳細を示す斜視図である。図３は印字用紙とＲＦＩＤリーダーライター部５と金属板スライド部６の関係を示す平面図である。図４は、ＲＦＩＤプリンタ１の制御部７を示すブロック図である。
【０００９】
ＲＦＩＤプリンタ１は、図１に示すように、用紙保持部２と、インクリボンユニット３と、印字部４と、ＲＦＩＤリーダーライター部５と、金属板スライド部６と、制御部７と、を備えている。
【００１０】
用紙保持部２は、長尺状の剥離紙１２に粘着剤を介して複数のＲＦＩＤラベル１０を仮着した印字用紙１１を回転可能に保持している。
ＲＦＩＤラベル１０は、剥離紙１２に粘着剤を介して紙、フィルムなどから成るラベルが貼り付けられており、剥離紙１２とラベルの間にはＩＣチップ及びアンテナからなるＲＦＩＤ（Ｒａｄｉｏ  Ｆｒｅｑｕｅｎｃｙ  Ｉｄｅｎｔｉｆｉｃａｔｉｏｎ）インレットが配置され構成されている。このＲＦＩＤラベル１０は、剥離紙１２に対して搬送方向に等間隔で仮着されている。
剥離紙１２は、表面に剥離剤が塗布してあり、ＲＦＩＤラベル１０を粘着剤を介して仮着している。
また、剥離紙１２は、ＲＦＩＤラベル１０を一枚ごとに切断できる搬送方向への長さを持った（少なくともＲＦＩＤラベル１０のピッチより長い）間隔で搬送方向と直交する方向にミシン目が形成されており、ＲＦＩＤラベル１０を貼付する面とは反対の面（裏面）に検出マークが所定の間隔で印刷されている。
この検出マークの印刷する位置は、搬送方向に対してＲＦＩＤラベル１０の一枚分の位置に印刷される場合や、若しくは、ＲＦＩＤラベル１０の間隔（ギャップ）に印刷される場合など使用形態によって適宜変更する。
【００１１】
インクリボンユニット３は、リボン供給部１７とリボン巻取部１８を有し、ロール状に巻回されたインクリボン１９がリボン供給部１７から印字部４を介してリボン巻取部１８に保持され、このリボン巻取部１８を図示しないモーターの駆動力によって回転駆動させることにより使用済みのインクリボン１９が巻き取られる。
印字中、インクリボン１９を印字用紙１１より速く搬送し、インクリボン１９未使用領域を印字に使用しないで搬送するというインクリボン１９の無駄遣いすることや、インクリボン１９を印字用紙１１より遅く搬送し、インクリボン１９の使用済み領域を印字に使用し、印字抜けが起こることを防止するために、リボン巻取部１８で巻き取るインクリボン１９の搬送速度は、印字用紙１１の搬送速度と同一にすることが好ましい。
【００１２】
印字部４は、図示しないモーターに接続されたプラテンローラー２２とサーマルヘッド２３を有し、プラテンローラー２２の回転駆動により印字用紙１１を用紙保持部２側の搬送方向上流側から印字部４に向かう下流側に搬送し、サーマルヘッド２３の発熱作用によりＲＦＩＤラベル１０の表面に印字を行う。
また、金属板スライド部６を後述するＲＦＩＤラベル１０の１枚分のピッチに調節後に、書き込み及び読み取りを目的とするＲＦＩＤラベル１０がＲＦＩＤリーダーライター部５と通信できる位置に搬送するように印字部４のプラテンローラー２２を回転駆動させるものとする。
なお、プラテンローラー２２による回転駆動速度は、印字速度やＲＦＩＤリーダーライター部５のＲＦＩＤラベル１０への情報の書き込み及び読み取りの速度（処理速度）によって変更できるものとする。
【００１３】
ＲＦＩＤリーダーライター部５は、アンテナ２７と、通信部２８を有し、用紙保持部２と印字部４との間に配置され、ＲＦＩＤラベル１０に情報を書き込み及びＲＦＩＤラベル１０から情報の読み取りを行うものである。
アンテナ２７は、印字用紙１１の搬送経路中で、用紙保持部２と印字部４との間のＲＦＩＤラベル１０が通過する領域に対向する位置に配置され、ＲＦＩＤラベル１０のＲＦＩＤインレットに対して、書き込み及び読み取りの電波を出力するものである。この電波には、ＲＦＩＤインレットに対して書き込み及び読み取りができる範囲である通信領域がある。この通信領域の範囲は、搬送方向と搬送方向に直行する方向に対しては、アンテナ２７の面積と略同一の範囲であり、高さ方向には、アンテナ２７の中央部を最大として端部にかけて弱くなる。
また、図１、図２、図３ではアンテナ２７はＲＦＩＤラベル１０の下面に配置されているが、上面であっても良い。
通信部２８は、後述する制御部７（ＣＰＵ４５）からの信号を受け、アンテナ２７にＲＦＩＤラベル１０のＲＦＩＤインレットに対する書き込み及び読み取りの電波を出力させる制御を行うものである。
また、通信部２８は、アンテナ２７及び制御部７と接続できるところであればＲＦＩＤプリンタ１の何れの場所に配置しても良い。
【００１４】
背景技術で述べたように、ＲＦＩＤラベル１０は、印字用紙１１の剥離紙１２側（下面）及びＲＦＩＤラベル１０側（上面）に対して、金属を接触若しくは極めて近づけるように設置することにより、ＲＦＩＤリーダーライター部５からの通信があってもＲＦＩＤインレットの通信機能が失われることによって書き込み及び読み取りの機能が不能になる特性がある。
ＲＦＩＤラベル１０が小ピッチであるために、剥離紙１２に仮着された複数のＲＦＩＤラベル１０同士の搬送方向への間隔が狭くなり、ＲＦＩＤリーダーライター部５と通信する目的以外である隣接ＲＦＩＤラベルＬがＲＦＩＤリーダーライター部５の通信領域内に入ってしまい、隣接ＲＦＩＤラベルＬに書き込み及び読み取りすることを防止するために、隣接ＲＦＩＤラベルＬの剥離紙１２側（ＲＦＩＤラベルの下面）に金属板スライド部６を形成し、隣接ＲＦＩＤラベルＬをＲＦＩＤリーダーライター部５から通信不能にしている。
この金属板スライド部６は、ＲＦＩＤリーダーライター部５の上面（サーマルヘッド２３側）に設置し、印字用紙１１の搬送経路の一部を形成している。
金属板スライド部６は、ＲＦＩＤラベル１０のラベル側（上面）に設置してもよく、また、ＲＦＩＤリーダーライター部５の設置状況や印字部４の搬送方法によっては、図１、図２、図３ではＲＦＩＤリーダーライター部５の搬送方向下流側となっているが、ＲＦＩＤリーダーライター部５の搬送方向上流側に設置しても良い。つまり金属板スライド部６は、ＲＦＩＤリーダーライター部５の通信領域内にある隣接ＲＦＩＤラベルＬを通信不能にできる場所に設置してあれば良い。
また、図１、図２、図３では、金属板スライド部６で通信不能にする隣接ＲＦＩＤラベルＬは単枚だが、ＲＦＩＤラベル５５のピッチによっては、複数の隣接ＲＦＩＤラベルＬを金属板スライド部６で通信不能にする場合もある。
【００１５】
金属板スライド部６は、図２に示すように、金属板３２と、金属板受け部３３と、調節螺子３４と、によって構成されている。この金属板スライド部６によって隣接ＲＦＩＤラベルＬのＲＦＩＤインレットを通信不能にしている。
【００１６】
金属板３２は、ＲＦＩＤリーダーライター部５の通信領域内に入る隣接ＲＦＩＤラベルＬを通信不能するための板状の金属であって、後述する金属板受け部３３に調節螺子３４を介して搬送方向前後にスライド可能に接続できるスライド溝３５が形成されている。
この金属板３２の大きさは、隣接ＲＦＩＤラベルＬをＲＦＩＤリーダーライター部５の通信から通信不能にできる縦横の大きさ（搬送方向と搬送方向に直行する大きさ）があり、厚みは、ＲＦＩＤプリンタ１の他の構成に邪魔にならない厚みであれば良い。
スライド溝３５は、金属板３２の幅方向（搬送方向と直交する方向）の両端に形成してあり、ＲＦＩＤリーダーライター部５の通信領域内に入ってくる隣接ＲＦＩＤを通信不能するために、ＲＦＩＤラベル１０の搬送方向への長さ（ＲＦＩＤラベルのピッチ）に合わせて金属板３２をスライドして調節する。
また、金属板３２はＲＦＩＤラベル１０の剥離紙１２の下面に配置され印字用紙１１の搬送経路の一部を形成している。
また、金属板３２をＲＦＩＤラベル１０の剥離紙１２の下面に配置した場合、ＲＦＩＤリーダーライター部５からの通信も遮蔽することができる。よって金属板３２をＲＦＩＤラベル１０の剥離紙１２の下面に配置すると、隣接ＲＦＩＤラベル１０の通信機能を不能にすると同時に、ＲＦＩＤリーダーライター部５からの通信も遮蔽できる。
【００１７】
金属板受け部３３は、調節螺子３４を介して金属板３２を搬送方向前後にスライド可能に支持するもので、調節螺子３４と螺合する雌螺子と、金属板３２をスライドさせる長さの定規の役割を果たすスライド目盛３７が形成されている。また、金属板受け部３３は、金属板３２の幅方向両端を支持してあり、金属板受け部３３の間にアンテナ２７を設置している。
スライド目盛３７は、金属板受け部３３の金属板３２を支持している両端に表示することによって金属板３２の両端が同じ長さだけスライドできるようにしている。
ＲＦＩＤリーダーライター部５の通信領域内に入ってくる隣接ＲＦＩＤラベルＬを通信不能するために、スライド目盛３７を見ながら金属板３２をＲＦＩＤラベル１０のピッチ分スライドさせると（図３では１．２ｃｍ）、ＲＦＩＤリーダーライター部５の通信領域内の搬送経路が、単枚のＲＦＩＤラベル１０のピッチ分以外は金属板３２になるため、ＲＦＩＤリーダーライター部５の通信領域に入っている隣接ＲＦＩＤラベルＬの搬送経路は金属板３２となり、ＲＦＩＤリーダーライター部５によって隣接ＲＦＩＤラベルＬに書き込み及び読み取りが不能となる。
また、金属板受け部３３は、金属板３２と擦れ合ったり、後述する調節螺子３４と螺合しているため、確りとした硬質の樹脂や金属などで形成することが好ましい。
また、スライド目盛３７の目盛は１ミリ刻みとなっているが、使用するＲＦＩＤラベルの種類や使用用途に応じて目盛の刻みを適宜変更できるものとする。例えば極小ピッチのＲＦＩＤラベルを使用する場合に於いては、目盛の刻みが０．１ｍｍ刻みであっても良い。
【００１８】
調節螺子３４は、金属板３２と金属板受け部３３をスライドできる状態及び係止状態に接続する螺子形状のもので、金属板受け部３３の雌螺子と螺合する雄螺子が形成された螺子軸４０と、この螺子軸４０を回転させる摘みの役割を果たす回転摘み４１と、この回転摘み４１を回転させることによって金属板３２を金属板受け部３３に押圧して係止する状態及び金属板３２を金属板受け部３３に係止した状態を開放しスライドできる状態にする金属板係止部材４２と、を有する。
この調節螺子３４の調節方法は、調節螺子３４の螺子軸４０と金属板受け部３３の雌螺子とを金属板３２のスライド溝３５を介して螺合させ、回転摘み４１を時計回りに回転させると金属板係止部材４２が金属板３２を金属板受け部３３に押圧し、金属板３２が係止状態となる。また、金属板３２が係止状態の時に回転摘み４１を反時計回りに回転させると金属板係止部材４２の押圧が解除され、よって金属板３２と金属板スライド部６の係止状態が開放されて金属板３２はスライドできる状態になる。
また、調節螺子３４及び金属板係止部材４２は、金属板３２及び金属板受け部３２の変形や磨耗を防ぐために、金属板３２より硬度の低い樹脂や金属で形成してもよく、金属板３２に接するところのみ金属板３２より硬度の低い樹脂や金属、具体的にはゴム等で形成することが好ましい。
また、金属板３２が磨耗や変形などによって交換が必要な場合は、調節螺子３４を金属板受け部３３から取り外すことによって金属板３２と金属板受け部３３の接続が開放されて、金属板３２を金属板受け部３３から取り外すことができる。
【００１９】
上述した金属板スライド部６の調節方法は、調節螺子３４を金属板３２がスライドできる状態に開放し、スライド目盛３７を見ながら金属板３２をＲＦＩＤラベル１０のピッチ分スライドさせ、その後に、金属板３２を調節螺子３４によって金属板受け部３３に係止する状態にする（図３参照）。このようにすると、ＲＦＩＤリーダーライター部５の通信領域内の搬送経路が、単枚のＲＦＩＤラベル１０のピッチ分を残して金属板３２になるため、ＲＦＩＤリーダーライター部５の通信領域内に入る隣接ＲＦＩＤラベルＬの搬送経路は金属板３２となり、よって隣接ＲＦＩＤラベルＬは通信不能となる。
なお、金属板３２をスライドさせて調節する長さは、ＲＦＩＤラベル１０とＲＦＩＤラベル１０の間隔（ギャップ）や印字用紙１１の搬送の微少なずれ等を考慮し、ラベルピッチ分より長いことが好ましく、且つ、隣接ＲＦＩＤラベルＬが通信領域に入ってこない範囲にする。
【００２０】
図４は、ＲＦＩＤプリンタ１の制御部７を示すブロック図である。
【００２１】
制御部７は、ＣＰＵ４５と、ＲＯＭ４６と、ＲＡＭ４７と、用紙搬送制御回路４８と、サーマルヘッド制御回路４９と、ＲＦＩＤリーダーライター部制御回路５０と、インタフェース５１と、データーバス５２と、により構成される。
【００２２】
ＣＰＵ４５（Ｃｅｎｔｒａｌ  Ｐｒｏｃｅｓｓｉｎｇ  Ｕｎｉｔ）は、ＲＯＭ４６に記憶している制御プログラムに従って動作し、各部を制御するものである。
【００２３】
ＲＯＭ４６（Ｒｅａｄ  Ｏｎｌｙ  Ｍｅｍｏｒｙ）は、制御プログラムを記憶しており、この制御プログラムをＲＡＭ４７に展開するものである。このＲＯＭ４６には、制御プログラムを記憶するエリアと、フォントデーター等の各種固定データーを記憶するエリアと、各種制御テーブルデーターを記憶するエリアと、各種ＩＯ定数を記憶するエリアと、により構成されている。
【００２４】
ＲＡＭ４６（Ｒａｎｄｏｍ  Ａｃｃｅｓｓ  Ｍｅｍｏｒｙ）は、ＣＰＵ４５が動作する上で必要となる各種データーを記憶するものである。
また、ＲＡＭ４６は、各種フラグの値を記憶するフラグ記憶エリアと、作業用データーを記憶するワークエリアと、印字すべき文字等のビットマップイメージデーターを展開して印字フォーマットを形成するための印字展開エリアと、により構成される。
【００２５】
用紙搬送制御回路４８は、図示しないモーターを含むプラテンローラー２２にパルス信号を出力し、印字用紙１１の搬送を制御するものである。
この用紙搬送制御回路４８によって、金属板スライド部６をＲＦＩＤラベル１０１枚分のピッチに合わせて調節後に、ＲＦＩＤラベル１０がＲＦＩＤリーダーライター部５と通信できる位置に搬送されるように制御される。
【００２６】
サーマルヘッド制御回路４９は、ＣＰＵ４５から供給される印字すべき文字、図形などの印字データーに対応する制御信号を生成し、サーマルヘッド２３に供給して印字動作を行わせるものである。
【００２７】
ＲＦＩＤリーダーライター部制御回路５０は、ＣＰＵ４５から供給されるＲＦＩＤラベル１０のＲＦＩＤインレットに書き込み及び読み取りすべき情報に対応する制御信号を生成し、ＲＦＩＤリーダーライター部５にＲＦＩＤラベル１０のＲＦＩＤインレットに情報の読み取り及び書き込みを行わせるものである。
【００２８】
インタフェース５１は、ＣＰＵ４５の管理下で図示しないホストコンピューター等を接続する経路のことである。
このインタフェース５１によって、ホストコンピューターからの印字データーやＲＦＩＤラベル１０に書き込む情報などを受信することができる。
【００２９】
データーバス５２は、各部が情報を交換するための共通の経路のことである。
【００３０】
上述した各部は、データーバス５２を介してＣＰＵ４５に接続され、ＣＰＵ４５の管理下インタフェース５１を介して接続された図示しないホストコンピューターより印字データーやＲＦＩＤラベル１０に書き込み及び読み取りを行う情報などのコマンドを受信し、受信した印字データーやコマンドに従ってＲＦＩＤラベル１０に印字や情報の書き込み及び読み取りを行う。
【００３１】
上述したように、本発明のＲＦＩＤプリンタ１は、ＲＦＩＤリーダーライター部５の通信領域に入ってくる隣接ＲＦＩＤラベルＬの搬送経路に金属板スライド部６を設置することによって、隣接ＲＦＩＤラベルＬの通信を不能にして、通信目的とするＲＦＩＤラベル１０にのみ情報の書き込み及び読み込みを行うことができる。
【００３２】
なお、本発明が上記実施の形態に限定されず、本発明の技術思想の範囲内において、実施の形態は適宜変更可能である。また、上記構成要件の数、位置、形状等は上記実施の形態に限定されず、本発明を実施する上で好適な数、位置、形状等にすることができる。
【図面の簡単な説明】
【００３３】
【図１】本発明のＲＦＩＤプリンタ１の概略側面図である。
【図２】金属板スライド部６の詳細を示す斜視図である。
【図３】印字用紙１１とＲＦＩＤリーダーライター部５と金属板スライド部６を示す平面図である。
【図４】ＲＦＩＤプリンタ１の制御部７を示すブロック図である。
【図５】従来のＲＦＩＤプリンタ６０の概略側面図である。
【図６】従来のＲＦＩＤプリンタ６０の印字用紙６５とＲＦＩＤリーダーライター部５８を示す平面図である。
【符号の説明】
【００３４】
１      ＲＦＩＤプリンタ
２      用紙保持部
３      インクリボンユニット
４      印字部
５      ＲＦＩＤリーダーライター部
６      金属板スライド部
７      制御部
１０    ＲＦＩＤラベル
１１    印字用紙
１２    剥離紙
１７    リボン供給部
１８    リボン巻取部
１９    インクリボン
２２    プラテンローラー
２３    サーマルヘッド
２７    アンテナ
２８    通信部
３２    金属板
３３    金属板受け部
３４    調節螺子
３５    スライド溝
３７    スライド目盛
４０    螺子軸
４１    回転摘み
４２    金属板係止部材
４５    ＣＰＵ
４６    ＲＯＭ
４７    ＲＡＭ
４８    用紙搬送制御回路
４９    サーマルヘッド制御回路
５０    ＲＦＩＤリーダーライター部制御回路
５１    インタフェース
５２    データーバス
５５    ＲＦＩＤラベル
５６    アンテナ
５７    通信部
５８    ＲＦＩＤリーダーライター
５９    印字部
６０    ＲＦＩＤプリンタ
６４    剥離紙
６５    印字用紙
Ｌ      隣接ＲＦＩＤラベル
【図１】
0004705507.tif 000002
【図２】
0004705507.tif 000003
【図３】
0004705507.tif 000004
【図４】
0004705507.tif 000005
【図５】
0004705507.tif 000006
【図６】
0004705507.tif 000007